(57)【特許請求の範囲】
【請求項１】
タイ本体（５２，２５２）と、
前記タイ本体に固定されたタイヘッド（６０，６０ａ，２６０）であって、該タイヘッドは、そこを通るストラップ受け入れ通路（９０，２９０）を画定する底部（６２，２６２）、天井部（７０，２７０）、第１の側面（８０，２８０）、第２の側面（８２，２８２）、ストラップ入口端部（８４，２８４）およびストラップ出口端部（８６，２８６）を有し、前記ストラップ受け入れ通路の両側面に近接した前記ストラップ出口端部において、傾斜した工具用軸受け面（８８，２８８）を有する、タイヘッドと、
前記タイ本体を固定しながら係合させるための、前記タイヘッド内に配設された、ローラー手段（９２，２９２）と、を備え、
前記ストラップ出口端部（８６，２８６）の端面が前記傾斜した工具軸受面（８８，２８８）として形成され、
前記傾斜した工具軸受面に近接する前記第１の側面および前記第２の側面の間の幅は、タイ本体が通り抜けられるように構成されている、金属製ロッキングタイ（５０，２５０）。
【請求項２】
前記傾斜した工具用軸受け面（８８）は、前記タイヘッドの前記底部（６２）に対して傾斜している、請求項１に記載の金属製ロッキングタイ（５０）。
【請求項３】
前記ストラップ出口端部（８６）は、金属製ロッキングタイ用工具（１２０）を受容するために、前記傾斜した工具軸受面に向かって広がっている、請求項１に記載の金属製ロッキングタイ（５０）。
【請求項４】
前記傾斜した工具用軸受け面（８８）は、金属製ロッキングタイ用工具（１２０）が前記タイ本体（５２）の寸切りを提供するために、一貫したせん断面をなす、請求項１に記載の金属製ロッキングタイ（５０）。
【請求項５】
金属製ロッキングタイ用工具（１２０）を受容するための線状の開口部をなす、ボールを保持する切り抜き（７４）を有するフード（７２）をさらに備える、請求項１に記載の金属製ロッキングタイ（５０）。
【請求項６】
前記タイヘッド（６０）は、前記タイ本体（５２）が引張られるまで、前記ローラー手段（９２）に対する抵抗を生じさせるために、前記フード（７２）の両側面にくぼみ（７８）を有する、請求項５に記載の金属製ロッキングタイ（５０）。
【請求項７】
フィンガ（７６）と、前記フィンガによって画定される、ボールを保持する切り抜き（７４）とを有するフード（７２）をさらに備える、請求項１に記載の金属製ロッキングタイ（５０）。
【請求項８】
前記フィンガ（７６）は、前記ローラー手段（９２）を保持するために、垂直に下方向に向かって曲げられる、請求項７に記載の金属製ロッキングタイ（５０）。
【請求項９】
前記フィンガ（７６）は、前記ローラー手段（９２）を保持するために、前記タイヘッド（６０）の前記底部（６２）の中央部に向かって弧を描く、請求項７に記載の金属製ロッキングタイ（５０）。
【請求項１０】
前記底部（６２）は、窓（６８）をさらに備える、請求項１に記載の金属製ロッキングタイ（５０）。
【請求項１１】
前記底部（６２，２６２）は、窓（６８，２６８）と、切り抜き部分（２６７）とをさらに備え、前記切り抜き部分は、金属製ロッキングタイ用工具（３２０）を受容するために、前記ストラップ出口端部（２８６）において前記第１の側面（２８０）から前記第２の側面（２８２）まで延在する、請求項１に記載の金属製ロッキングタイ（５０，２５０）。
【請求項１２】
請求項１〜１１のいずれか一項に記載の金属製ロッキングタイと、前記金属製ロッキングタイ（５０，２５０）を取り付けるための金属製ロッキングタイ用工具（１２０，３２０）であって、前記金属製ロッキングタイ用工具は、
前記金属製ロッキングタイ用工具の前面に固定されたカッターキャップ（１２４，３２４）を有する筐体（１２２，３２２）と、前記カッターキャップ内に可動に配置されたカッター（１３２，３３２）と、前記カッターから外側に向かって延出するボールセッター（１３０，３３０）と、アンビル（１２６，３３６）とを有し、
それにより、前記金属製ロッキングタイ用工具が前記金属製ロッキングタイを引張る際に、前記カッターが前記カッターキャップに対して直線的に移動して、前記ローラー手段（９２）を前記タイヘッド（６０，６０ａ，２６０）内に据え、かつ余分なタイ本体（５２，２５２）を前記金属製ロッキングタイから寸切りする、前記金属製ロッキングタイ用工具と、を備える、金属製ロッキングタイおよび金属製ロッキングタイを取り付けるための金属製ロッキングタイ用工具（１２０，３２０）。
【請求項１３】
前記筐体は、金属製ロッキングタイヘッド（６０，６０ａ，２６０）を受容するための、ガイド（３２６）をさらに備える、請求項１２に記載の金属製ロッキングタイおよび金属製ロッキングタイ用工具（１２０，３２０）。
【発明の詳細な説明】
【技術分野】
【０００１】
本発明は、金属製ロッキングタイに関し、より具体的には、傾斜した工具用軸受け面を有する金属製ロッキングタイ、およびこの金属製ロッキングタイを取り付けるための空圧式手持ち工具に関する。
【背景技術】
【０００２】
ボールもしくはローラピン等のような、ロッキングデバイスまたは機構を組み込む、ケーブルタイ等のような金属製の結束デバイスは、多量の綿等のような、多種多様な物品を結束するために１９世紀から使われている。しかしながら、そのようなデバイスは、「確かな」固定ではなかった、つまり、そのようなデバイスは、ストラップとのロッキング係合からボールが離れることを重力が防ぐまたは促す状況に応じて調節することができなかったため、ケーブルタイの開放をもたらし、結果として拘束することが意図された物品が開放されることとなった。
【０００３】
Ｃｈｏｐｐ，Ｊｒ．らによる特許文献１号は、ねじ切りされたストラップがロッキングヘッドを出るときに、ねじ切りされたストラップを床部から離れるように偏向させるために、隆起した部分または突出物を追加することを教示することによって、この初期の問題に対処している。この偏向によって、ロッキングデバイスの位置またはロッキングヘッドの向きに関わらず、ロッキングデバイスがねじ切りされたストラップと継続的に係合した状態が確実に保たれる。
【０００４】
ここで、工具がロッキングヘッドにぴったりと沿って余分なストラップを切り落とすことを可能にする、一貫したせん断面を有する金属製ロッキングタイを提供することが望ましい。
特許文献２は、金属製ロッキングタイを取り付けるための工具を開示している。工具は、引張機構及びボール据付および切断機構を含む。引張機構は、束の周りに巻かれる金属製ロッキングタイを引っ張り、ボール据付および切断機構は、ガイドブロックおよびガイドブロックに係合するせん断ブロックを含む。
【先行技術文献】
【特許文献】
【０００５】
【特許文献１】米国特許第４，３９９，５９２公報
【特許文献２】米国特許出願公開第２００８／０９２９８１号明細書
【発明の概要】
【課題を解決するための手段】
【０００６】
本発明は、金属製ロッキングタイ用工具が金属製ロッキングタイにぴったりと沿って余分なストラップを切り落とすことを可能にする、一貫したせん断面を有する金属製ロッキングタイを対象とする。金属製ロッキングタイは、タイ本体と、このタイ本体に固定されたタイヘッドと、タイ本体を固定しながら係合させるための、タイヘッド内に配設されたローラー手段とを含む。このタイヘッドは、そこを通るストラップ受け入れ通路を画定する、底部、天井部、第１の側面、第２の側面、ストラップ入口端部、およびストラップ出口端部を有する。タイヘッドはまた、金属製ロッキングタイ用工具のために、一貫したせん断面をなすように、ストラップ受け入れ通路の両側面に近接するストラップ出口端部において、傾斜した工具用軸受け面も有する。
【図面の簡単な説明】
【０００７】
【図１】本発明の金属製ロッキングタイの斜視図である。
【図２】図１の金属製ロッキングタイの側面図である。
【図３】図１の金属製ロッキングタイの金属製ロッキングタイヘッドの第１の実施形態の斜視図である。
【図４】図１の金属製ロッキングタイの金属製ロッキングタイヘッドの第２の実施形態の斜視図である。
【図５】束の周りに取り付けられている金属製ロッキングタイヘッドの、部分断面図である。
【図６】取り付け工具がタイを機能させるにつれて、束の周りで引張られていく、図５の金属製ロッキングタイの部分断面図である。
【図７】工具が取り付けを完了させた状態の、束の周りに取り付けられた、図５の金属製ロッキングタイの部分断面図である。
【図８】従来技術の空圧式手持ち工具の側面図である。
【図９】カッターブロックが切断前の位置に配置されている状態の、図８の空圧式手持ち工具と共に使用するための、ブレードガードの筐体の前面斜視図である。
【図１０】カッターブロックが切断後の位置に配置されている状態の、図９のブレードガードの筐体の前面斜視図である。
【図１１】図９の空圧式手持ち工具のカッターブロックに対して配置された、金属製ロッキングタイヘッドの図である。
【図１２】図１１の空圧式手持ち工具内に配置され、かつ束の周りに配置された、金属製ロッキングタイヘッドの側面図である。
【図１３】本発明の金属製ロッキングタイの、代替実施形態の斜視図である。
【図１４】図１３の金属製ロッキングタイの上面図である。
【図１５】図１３の金属製ロッキングタイの金属製ロッキングタイヘッドの斜視図である。
【図１６】図１３の金属製ロッキングタイの金属製ロッキングタイヘッドの斜視図である。
【図１７】図１４の線１７−１７に沿って取られた、金属製ロッキングタイの部分断面図である。
【図１８】束の周りに取り付けられた、図１３の金属製ロッキングタイの部分断面図である。
【図１９】本発明の空圧式手持ち工具の、ブレードガードの筐体の代替実施形態の前面斜視図である。
【図２０】図１９の空圧式手持ち工具のガイド内に配置され、かつ束の周りに配置された、金属製ロッキングタイヘッドの部分斜視図である。
【図２１】図２０の線２１−２１に沿って取られた、空圧式手持ち工具内に配置された金属製ロッキングタイの断面図である。
【発明を実施するための形態】
【０００８】
図１は、本発明の金属製ロッキングタイ５０を例示している。図２は、束１４０の周りに配置された、金属製ロッキングタイ５０の側面図を例示している。金属製ロッキングタイ５０は、タイ本体またはストラップ５２、およびタイヘッド６０を含む。タイヘッド６０は、タイヘッド６０を通り抜けるタイ本体５２を受け入れる、朝顔形の出口端部８６を含む。後段で考察されるように、朝顔形の出口端部８６はまた、金属製ロッキングタイ５０を取り付けるために使用される空圧式手持ち工具１２０のための、傾斜した工具用軸受け面８８も提供する（図６〜図７および図１１〜図１２を参照）。結果として、タイヘッド６０は、工具１２０のために一貫したせん断面を提供して、余分なタイ本体５２の寸切りをもたらす。
【０００９】
図３および図４はそれぞれ、タイヘッド６０の第１および第２の実施形態を例示している。タイヘッド６０は、底床部６２、天井部７０、フードまたは屋根部７２、第１の側面８０、第２の側面８２、ストラップ入口端部８４、ストラップ出口端部または朝顔形の出口端部８６、およびそこを通るストラップ受容開口部または通路９０を含む。底床部６２の角は、解放スロット６４を含む。
【００１０】
フード７２は、タイヘッド６０内に配置されたローラー手段またはボール９２を保持するために、タブ（フィンガ）７６を形成する、ボールを保持するタブ状の切り抜き７４を含む。フード７２は、傾斜した工具用軸受け面８８が形成されることを可能にするように、ストラップ入口端部８４のより近くに配置される。タイヘッド６０内の、ボールを保持するタブ状の切り抜き７４は、空圧式手持ち工具１２０がフード７２の内側に入ることなく、空圧式手持ち工具１２０がローラー手段９２を据えるために、より深い線状の開口部をなすように、従来技術のロッキングタイヘッドにおける切り抜きよりも深い。タイヘッド６０におけるタブ（フィンガ）７６は、ストラップ受け入れ通路９０に、すなわちタイ本体５２がストラップ受け入れ通路９０を通り抜けることに影響を与えることなく、新たな傾斜した工具用軸受け面８８の空間をもたらすように、従来技術の金属製ロッキングタイヘッドのものよりも短い。図３および図４に例示されているように、タブ（フィンガ）７６は、下方向に向かって曲げられており、それにより、タブ（フィンガ）７６は、底床部６２に向かって概して垂直に延在する。
【００１１】
フード７２の両側面には、くぼみ７８が含まれてもよい。くぼみ７８は、タイ本体５２に対する所定の引張に達するまで、ローラー手段９２に対する抵抗を生じさせる。くぼみ７８は、ローラー手段９２が金属製ロッキングタイ５０に据えられる前に達するストラップ引張を最小限にすることを可能にする。
【００１２】
上記で考察されるように、タイヘッド６０のストラップ出口端部８６は、傾斜した工具用軸受け面８８を含む。傾斜した工具用軸受け面８８は、ストラップ通路９０の両側に近接したタイヘッド６０上に配置される。傾斜した工具用軸受け面８８は、空圧式手持ち工具１２０が、束の表面から離れるように枢動することを可能にし、これにより、タイ本体５２のより一貫した寸切りが生じる。
【００１３】
図４に示されているように、タイヘッド６０ａの第２の実施形態は、底床部６２における窓６８を除いて、タイヘッド６０と同一である。
【００１４】
図５は、束１４０の周りに取り付けられるように配置された金属製ロッキングタイ５０の部分断面図を例示している。タイ本体５２は、束１４０の周りに巻かれて、タイヘッド６０ａを通り抜けている。図５の矢印によって図示されているように、タイ本体５２は、「Ｘ」の方向に所定の荷重まで引張られる。フード７２の両側面に沿ったくぼみ７８は、引張る間、タイヘッド６０ａにおける最も高い位置にローラー手段９２を保持する。
【００１５】
図６は、取り付け工具がタイヘッド６０ａに係合している状態の、束１４０の周りに配置された金属製ロッキングタイ５０の部分断面図を例示している。タイ本体５２が引張られている間、取り付け工具はタイヘッド６０ａに係合し始める。タイヘッド６０ａの傾斜した工具用軸受け面８８は、図６の矢印によって図示されているように、取り付け工具を、傾斜した工具用軸受け面８８上で確実に枢動させて「Ｙ」の方向に着座させる。
【００１６】
図７は、ローラー手段９２がタイヘッド６０ａ内に据えられ、かつ余分なタイ本体５２が切断された状態の、束１４０の周りに配置された金属製ロッキングタイ５０の部分断面図を例示している。タイ本体５２に対する所定の引張が得られると、取り付け工具のボール据え付け機構はタイヘッド６０ａに係合する。取り付け工具のボール据え付け機構は、タブ（フィンガ）７６に係合して、ローラー手段９２を据え、タイ本体５２をそれぞれタイ本体５２およびタイヘッド６０ａ内の押しのけ穴５４、６６内へ移動させる。図７に示されているように、カッターブレードは、「Ｚ」の方向に下向きに移動して、タイ本体５２を、取り付け工具の固定されたせん断縁部に押し当ててせん断する。次に取り付け工具は、束１４０上の引張が維持された状態で、ローラー手段９２とタイ本体５２との間の最適な機械的な固定を残すように、金属製ロッキングタイ５０から分離され得る。
【００１７】
図８は、本発明の譲渡人である、Ｐａｎｄｕｉｔ  Ｃｏｒｐ．によって販売されている、従来技術の空圧式手持ち工具ＰＰＴＭＴの側面図を例示している。本発明の空気圧手持ち工具１２０は、図８に例示されている工具の機構に基づいている。図９〜１２は、本発明の金属製ロッキングタイ５０を引張るために使用される、新たな空気圧手持ち工具１２０の前面部を詳細に例示している。新たな空気圧手持ち工具１２０は、修正されたブレードガードの筐体１２２、カッターキャップ１２４、およびカッター１３２を含む。
【００１８】
図９および図１０に例示されているように、ブレードガードの筐体１２２は、アンビル切断面１２６およびカッターブロック１２８を有するカッターキャップ１２４を含む。カッターブロック１２８は、外側に向かって延出するボールセッター１３０と、カッター縁部１３４を有するカッター１３２とを含む。図９は、最初の切断前の位置にある、ボールセッター１３０およびカッター１３２を例示している。カッター縁部１３４は、カッターキャップ１２４のアンビル切断面１２６と重なり合うことができる。図１０に例示されているように、ボールセッター１３０とカッター１３２は、カッターキャップ１２４内で、切断後の位置まで、一緒に上方向に移動する。
【００１９】
図１１は、図９の空気圧手持ち工具１２０のカッターブロック１２８のカッター１３２に対して配置された、図４の金属製ロッキングタイヘッド６０ａを例示している。
【００２０】
図１２は、束１４０の周りに配置された、図１１の空気圧手持ち工具１２０内に配置された金属製ロッキングタイヘッド６０ａを例示している。ブレードガードの筐体１２２およびカッターキャップ１２４の形状構成に起因して、空気圧手持ち工具１２０は、金属製ロッキングタイ５０を取り付けるために、束１４０の底部上で使用される。空気圧手持ち工具１２０は、所望により金属製ロッキングタイ５０を束１４０の頂部上で取り付けるように修正されてもよい。
【００２１】
図１３〜図２１は、代替の金属製ロッキングタイ２５０および空気圧手持ち工具３２０用の代替のブレードガードの筐体３２２を例示している。代替の金属製ロッキングタイ２５０は、タイ本体またはストラップ２５２と、金属製ロッキングタイヘッド２６０とを含む。図１５および図１６に例示されているように、タイヘッド２６０は、底床部２６２、天井部２７０、フードまたは屋根部２７２、第１の側面２８０、第２の側面２８２、ストラップ入口端部２８４、ストラップ出口端部または朝顔形の出口端部２８６、およびタイヘッド２６０を通るストラップ受容開口部または通路２９０を含む。
【００２２】
底床部２６２は、ローラー手段２９２を受容するための押しのけ穴２６６、および切り抜き部分２６７を含む。切り抜き部分２６７は、図４に例示されている第２の実施形態における窓６８に類似した、部分的な窓２６８を含む。切り抜き部分２６７はまた、タイヘッド２６０のストラップ出口端部２８６において、タイヘッド２６０の第１の側面２８０から第２の側面２８２まで延在する開口部２６９も含む。
【００２３】
フード２７２は、タイヘッド２６０内に配置されたローラー手段またはボール２９２を保持するようにタブ（フィンガ）２７６を形成する、ボールを保持するタブ状の切り抜き２７４を含む。タブ（フィンガ）２７６は、図１〜図７で開示されている金属製ロッキングタイヘッド６０、６０ａにおけるタブ（フィンガ）７６よりも長い。より長いタブ（フィンガ）２７６は弧を描いており、それにより、図１５および図１６に図示されているように、底床部２６２における部分的な窓２６８を概して覆うように配置される。
【００２４】
ストラップ出口端部または朝顔形の出口端部２８６は、傾斜した工具用軸受け面２８８を含む。傾斜した工具用軸受け面２８８は、ストラップ通路２９０の両側面２８０、２８２に近接したタイヘッド２６０上に配置される。傾斜した工具用軸受け面２８８は、空気圧手持ち工具３２０がタイヘッド２６０に係合して、タイ本体２５２のより一貫した寸切りを生じさせることを可能にする。
【００２５】
図１９は、空気圧手持ち工具３２０のための代替のブレードガードの筐体３２２を例示している。図２０および図２１は、束３４０の頂部上で金属製ロッキングタイ２６０に係合している空気圧手持ち工具３２０を例示している。代替のブレードガードの筐体３２２は、金属製ロッキングタイヘッド２６０の天井部２７０およびフード２７２を受容するための、窪んだガイド３２６を有するカッターキャップ３２４を含む。ガイド３２６は、金属製ロッキングタイ２５０が束３４０の周りに取り付けられている間に、ユーザがタイヘッド２６０の位置を制御することを可能にする。ブレードガードの筐体３２２はまた、ボールセッター３３０、カッター３３２、タイ本体２５２を受容するためのスロット３３４、およびアンビル３３６も含む。
【００２６】
図２０および図２１に例示されているように、タイヘッド２６０は、ガイド３２６内に配置される。工具が作動されると、ボールセッター３３０は、タブ（フィンガ）２７６に係合して、ローラー手段２９２を据え、カッター３３２が、アンビル３３６を通り過ぎて下方向に向かわせられて、上記に説明されるようにタイ本体２５２の寸切りが提供される。
【００２７】
さらに、本発明の特定の好ましい実施形態が示されて説明されたが、本発明の教示から逸脱することなく変更および修正がなされ得ることが、当業者には明らかであろう。上述の説明および添付の図面において記載された事項は、例示のためのみであり、限定として提供されるものではない。
【符号の説明】
【００２８】
５０  金属製ロッキングタイ
５２  タイ本体
５４、６６  穴
６０、６０ａ  金属製ロッキングタイヘッド
６２  底床部
６８  窓
７０  天井部
７２  フード
７６  タブ
８０  第１の側面
８２  第２の側面
８４  ストラップ入口端部
８６  ストラップ出口端部
９０  ストラップ通路
９２  ローラー手段
１２０  工具
１２２  筐体
１２４  カッターキャップ
１２６  アンビル切断面
１２８  カッターブロック
１３０  ボールセッター
１３２  カッター
１４０  束
【図１】
0006006299.tif 000002
【図２】
0006006299.tif 000003
【図３】
0006006299.tif 000004
【図４】
0006006299.tif 000005
【図５】
0006006299.tif 000006
【図６】
0006006299.tif 000007
【図７】
0006006299.tif 000008
【図８】
0006006299.tif 000009
【図９】
0006006299.tif 000010
【図１０】
0006006299.tif 000011
【図１１】
0006006299.tif 000012
【図１２】
0006006299.tif 000013
【図１３】
0006006299.tif 000014
【図１４】
0006006299.tif 000015
【図１５】
0006006299.tif 000016
【図１６】
0006006299.tif 000017
【図１７】
0006006299.tif 000018
【図１８】
0006006299.tif 000019
【図１９】
0006006299.tif 000020
【図２０】
0006006299.tif 000021
【図２１】
0006006299.tif 000022